(57)【要約】【課題】モニタ接続を検出する信号ラインを持たないモニタインタフェースにおいて、モニタ接続の有無をパソコン本体側でリアルタイムで検出できるようにすること。【解決手段】ＤＤＣの信号ラインのパソコン本体１側のプルアップ抵抗Ｒ１１，Ｒ１２に直列にスイッチング手段ＳＷ１，ＳＷ２を接続し、ＤＤＣがアイドル状態のとき、上記スイッチング手段ＳＷ１，ＳＷ２をオフにし、ＤＤＣ  ＣＬＫ（ＳＣＬ）、ＤＤＣ  ＤＡＴＡ（ＳＤＡ）のプルアップ信号を未接続とする。そして、本体１側でＳＣＬ／ＳＤＡの信号ラインの電位レベルを検出し、この電位レベルが変化したときに割り込み信号を発生する。割り込み信号があがると、パソコン本体１では、ＳＣＬ／ＳＤＡの信号ラインの電位レベルの変化方向からモニタが接続されたか、未接続となったかを判断する。【選択図】          図１
2007225980.tif 000002
【特許請求の範囲】
【請求項１】
アナログ映像信号、水平・垂直同期信号、および、モニタ側でプルアップされるモニタ情報取得用信号ラインを含むインタフェースを備え、該インタフェースを介してモニタ装置が接続される処理装置であって、
上記処理装置側のモニタ情報取得用信号ラインにはプルアップ手段と該プルアップ信号を接続、未接続とする切り替え手段が設けられ、
上記処理装置には、モニタ情報取得用信号ラインの電位レベルを検出し、この電位レベルが変化したときに割り込み信号を発生する手段と、処理装置の立ち上げ処理後、上記切換え手段を切り替えて、プルアップ信号を未接続とし、上記割り込み信号が発生したときのモニタ情報取得用信号ラインの電位に基づき、モニタ装置が接続されているか否かを検出するモニタ検出手段が設けられている
ことを特徴とする処理装置。
【請求項２】
上記モニタ検出手段は、上記モニタが接続されている状態で、上記割り込み信号が発生したとき、上記切換え手段を切り替えてプルアップ信号を接続し、そのときモニタ情報取得用信号ラインの電位に基づき、モニタの接続、未接続を検出する
ことを特徴とする請求項１に記載の処理装置。
【請求項３】
アナログ映像信号、水平・垂直同期信号、および、モニタ側でプルアップされるモニタ情報取得用信号ラインを含むインタフェースを備え、モニタ情報取得用信号ラインは接続、未接続に切り替え可能にプルアップされ、上記インタフェースを介してモニタ装置が接続される処理装置におけるモニタ検出方法であって、
処理装置の立ち上げ処理後、上記プルアップを未接続とするステップと、
上記モニタ情報取得用信号ラインの電位レベルを検出し、この電位レベルが変化したときに割り込み信号を発生するステップと、
上記割り込み信号が発生したときのモニタ情報取得用信号ラインの電位に基づき、モニタ装置が接続されているか否かを検出するステップからなるモニタ検出方法。
【発明の詳細な説明】
【技術分野】
【０００１】
本発明は、アナログＲＧＢインタフェースのように、モニタ接続を検出するホットディテクト（Ｈｏｔｄｅｔｅｃｔ）等の信号ラインを持たないインタフェースにおいて、モニタ接続の有無を本体側でリアルタイムで検出できるようにした処理装置およびモニタ検出方法に関する。
【背景技術】
【０００２】
近年、パーソナルコンピュータに接続する表示出力モニタとしてＶＧＡ（アナログＲＧＢディスプレイ）、デジタル（ＤＶＩ）ディスプレイ、ＴＶ（コンポジット、Ｓ−ＶＩＤＥＯ、コンポーネント、Ｄ端子）がある。そしてそれらのモニタを１つまたは複数同時に接続して表示を行ったり、ノートパソコンなどでは電源をＯＮしたまま、外部モニタの脱着を行うようになってきた。
このため、上記外部モニタの接続の有無をパソコン本体側で自動的に検出することが望まれる。
電子機器本体への外部表示器の接続を自動的に検出し、表示を電子機器に内蔵の表示器から外部表示器に自動的に切り替えるものとして、例えば特許文献１の記載のものが提案されている。上記特許文献１に記載のものは、コネクタ接続時に互いに接続される信号線を設けて外部表示器の接続を自動的に検出するものである。
【０００３】
外部モニタの接続の有無を本体側で検出する方法に関して、例えばＤＶＩモニタについて図５により説明する。
図５に示すように、ＤＶＩインタフェースを有するにはモニタでは、モニタ２０側からパソコン本体１０に接続を通知する、常にハイ・レベルのホットプラグ（Ｈｏｔｐｌｕｇ）信号（Ｈｏｔ  Ｄｅｔｅｃｔ信号）１１が設けられている。
上記ホットプラグ信号は、同図に示すように本体側内部で抵抗Ｒ１３により、０Ｖにプルダウンされており、その信号がハイ・レベルならばモニタ接続、ロウ・レベルならば、モニタ未接続の判断ができる。
また、Ｄ端子にも、接続の有無を知る信号ピンがあり、それによって、ケーブルの接続の有無が割り込み信号として本体に通知ができ、リアルタイムで検出が可能である。
なお、最近ではＤＤＣ（Ｄｉｓｐｌａｙ  ＤＡＴＡ  Ｃｈａｎｎｅｌ）をサポートしたモニタが主流になっており、同図に示すように、モニタ２０に、ディスプレイモニタに関する情報（ＥＤＩＤ：Ｅｘｔｅｎｄｅｄ  Ｄｉｓｐｌａｙ  ＩＤｅｎｔｉｆｉｃａｔｉｏｎ）を記憶したＥＤＩＤ用ＲＯＭ２１を設け、パソコン本体１０側からＤＤＣの２本の信号線１２を介して、上記ＥＤＩＤ情報を取り出すことを可能としている。上記２本の信号線は、プルアップ抵抗Ｒ１１，Ｒ１２，Ｒ２１，Ｒ２２により、パソコン本体側、モニタ側でプルアップされている。
【０００４】
一方、パソコンのディスプレイインタフェースとしてアナログＲＧＢインタフェースには、図６に示すように、上記ホットプラグ専用の信号線はない。
そのため、パソコン本体１０側からの接続の有無の検出には、ポーリングによって定期的に次の方法を行うことで、モニタ検出が可能となる。
一つは、モニタ内部に存在するアナログＲＧＢの７５Ω終端を利用し、本体からのパルスをＲＧＢ信号のいずれかに出力し、反射してくる信号の電圧レベルが２倍になれば、未接続、１倍であれば接続という方法で検出を行っている。
また最近では上記ＤＤＣ（Ｄｉｓｐｌａｙ  ＤＡＴＡ  Ｃｈａｎｎｅｌ）をサポートしたモニタが主流になっており、アナログＲＧＢ信号、水平・垂直同期信号（ＨＳＹＮＣ／ＶＳＹＮＣ）に加え、同図に示すように前記ＤＤＣの信号線１２が設けられている。
そこで、前記方法に合わせて、ＤＤＣの信号線１２を経由してモニタ内部に存在するモニタ情報が書き込まれたＥＤＩＤ（Ｅｘｔｅｎｄｅｄ  Ｄｉｓｐｌａｙ  Ｉｄｅｎｔｉｆｉｃａｔｉｏｎ  ＤＡＴＡ）用のＲＯＭを読み取り、正常に読めたか否かで判別できる場合もある。しかし、アナログＲＧＢのインタフェースではいずれも、本体側起動時のタイミングまたは、ユーザがＷｉｎｄｏｗｓ（登録商標）上のアプリケーション（ディスプレイのプロパティ等）を操作した時のみ、接続モニタの有無を判別することになる。
【特許文献１】特開平８−１１５０６３号公報
【発明の開示】
【発明が解決しようとする課題】
【０００５】
アナログＲＧＢインタフェースにおける表示装置の接続の有無を抜き差しした時点でリアルタイムに本体側で分かるようにしたいという要望がある。
例えば、会議室にてプロジェクタと個人のノートパソコンを使用してプレゼンテーションを行うとする。その場合、手順としては、ノートパソコンを起動した状態からモニタ（プロジェクタ）を接続を行う場合がほとんどである。
プロジェクタがＤＶＩインタフェースのときは、前記したように、ホットディテクト信号があり、接続と同時にプロジェクタへ表示させることができるが、プロジェクタがアナログＲＧＢのインタフェースだった場合は、それに該当する信号がないため、ケーブル接続後、ユーザがＷｉｎｄｏｗｓ（登録商標）上のアプリケーションによって表示をプロジェクタに切り替えるという煩雑なオペレーションが発生する。
【０００６】
２００６年以降出荷されるＭｉｃｒｏｓｏｆｔ  ＯＳ「Ｖｉｓｔａ」（登録商標）の仕様として、アナログＲＧＢのインタフェースにおいても、ＤＶＩ同様、デバイスによるホットプラグ機能が要求されている。
とはいっても、新規にホットプラグ用の専用信号を空き端子に追加した場合は、従来モニタに対しては、全く互換がなくなってしまう。
本発明は上記事情に鑑みなされたものであって、アナログＲＧＢインタフェースのようにモニタ接続を検出する信号ラインを持たないモニタインタフェースにおいて、モニタ接続の有無をパソコン本体側でリアルタイムで検出できるようにすることを目的とする。
【課題を解決するための手段】
【０００７】
最近のアナログＲＧＢのモニタのほとんどにモニタ情報取得用信号ラインであるＤＤＣ（Ｄｉｓｐｌａｙ  ＤＡＴＡ  Ｃｈａｎｎｅｌ）信号ラインが存在しており、それには処理装置本体側及びモニタ側それぞれに、５Ｖへのプルアップ抵抗がついている。このＤＤＣ信号ラインとプルアップ抵抗の間にＦＥＴ等のスイッチからなる切り替え手段を設け、プルアップ自体のＯＮ・ＯＦＦ制御を可能とする。なお、プルアップがＯＦＦのときは、ロウ・レベルを保証するため、抵抗値が大きめのプルダウン抵抗も追加しておくほうが望ましい。
本来、本体側のプルアップ抵抗は信号変化時の立ち上がり時間を短くするのが目的であるため、信号停止時はモニタ側のプルアップ抵抗のみで十分である。
つまり、起動時には、従来のＤＤＣの仕様の通り、本体側を５Ｖにプルアップ、モニタ側も５Ｖにプルアップし、ＤＤＣ信号のアクセスが停止してから一定時間後に本体側のプルアップ抵抗をＯＦＦし、モニタ側のプルアップのみに依存するようにする。
【０００８】
この状態で、モニタコネクタが未接続になると、上記モニタ情報取得用信号ラインがロウ・レベルになる。また、モニタコネクタが未接続の状態からモニタを接続すると、上記モニタ情報取得用信号ラインがロウ・レベルからハイ・レベルとなる。
すなわち、上記信号ラインの変化によりモニタを未接続／接続を検出できる。そこで、上記信号ラインの変化を検出し、処理装置本体側に割り込み信号をあげ、信号ラインがロウ・レベルになった場合は未接続、信号ラインがハイレベルになった場合は接続と判断することができる。
なお、モニタを未接続にした場合だけでなく、モニタ側からロウ出力があったときも上記信号ラインが０Ｖになる。そこで、例えば、上記信号ラインが０Ｖになったとき、上記切り替え手段により、本体側のプルアップ抵抗をＯＮにし、信号ラインがハイ・レベルになればモニタを未接続によるもので、ロウ・レベルのままであれば、モニタ側からのロウ出力によるものであると区別することができる。
【発明の効果】
【０００９】
本発明においては、処理装置側のモニタ情報取得用信号ラインにプルアップ信号を接続、未接続とする切り替え手段を設け、処理装置の立ち上げ処理後、上記切換え手段を切り替えて、プルアップ信号を未接続とし、上記信号ラインの電位レベルが変化したとき、処理装置本体側に割り込み信号を発生し、上記割り込み信号が発生したときのモニタ情報取得用信号ラインの電位に基づきモニタ装置が接続されているか否かを検出するようにしたので、モニタ接続を検出するためのホットディテクト（Ｈｏｔｄｅｔｅｃｔ）等の信号ラインを持たない従来のアナログＲＧＢモニタであっても、処理装置本体への接続／未接続をハード的にリアルタイムで検出することが可能となる。
【発明を実施するための最良の形態】
【００１０】
図１は本発明の実施例の構成を示す図であり、パソコン本体１とアナログＲＧＢディスプレイ２が接続されている状態を示している。
同図に示すように、アナログＲＧＢのコネクタの信号にはアナログ信号であるＲＧＢの３本の信号、ＨＳＹＮＣ／ＶＳＹＮＣの同期信号、モニタのＩＤを読み取るためのＤＤＣ（ＤＤＣのＣＬＫ／ＤＤＣ  ＤＡＴＡ）の２本の信号線１２がある。
上記各信号ラインはパソコン本体１に設けられたグラフィックチップ１ａに接続されている。
一般に、パソコン本体１のシステムが起動する際、本体１側は、モニタ２の持つ能力を知るため、ＤＤＣ信号経由でモニタ２のＩＤ（ＥＤＩＤ用ＲＯＭ２１）を読みに行く。一度、読み終えたら、再度起動、解像度変更等のイベントが発生するまでは、プルアップ抵抗によって、本信号は５Ｖに保持される。
【００１１】
上記ＤＤＣ信号線１２には、図１のように本体側（２．２ｋΩ）とモニタ側（５６ｋΩ）にそれぞれプルアップ抵抗Ｒ１１，Ｒ１２，Ｒ２１，Ｒ２２が設けられている。
本体側のプルアップ抵抗Ｒ１１，Ｒ１２は信号の立ち上がり時間の短縮の意味で、２．２ｋΩが接続されているが、本信号が停止しているときは、モニタ側のプルアップだけで十分である。
そこで、本実施例では、本体１側のプルアップ抵抗Ｒ１１，Ｒ１２に直列にＦＥＴ等のスイッチング手段ＳＷ１，ＳＷ２を接続する。そして、信号が停止（アイドル状態）している間、上記スイッチング手段ＳＷ１，ＳＷ２をオフにし、ＤＤＣ  ＣＬＫ（ＳＣＬ）、ＤＤＣ  ＤＡＴＡ（ＳＤＡ）のプルアップ信号を未接続とする。
それにより、プルアップはモニタ２側のみとなり、この状態でモニタ２を未接続とすると、本体１側のＤＤＣのＳＣＬ／ＳＤＡ信号ラインにはプルアップ信号が無くなる。
したがって、本体側のＤＤＣ信号ラインに例えば約２００ｋΩ程度のプルダウン抵抗Ｒ１３，Ｒ１４を接続しておくことで、ＳＣＬ／ＳＤＡ信号ラインは０Ｖになる。
【００１２】
本体１側には、上記ＳＣＬ／ＳＤＡの信号ラインの電位レベルを検出し、この電位レベルが変化したときに割り込み信号を発生する手段が設けられ、上記信号ラインが０Ｖになると、本体１側に割り込み信号があがる。
これにより、ＳＣＬ／ＳＤＡ信号ラインが０Ｖになったのを本体は感知するが、この時点では、モニタ２がはずれたことによる信号の変化か、それとも、モニタ側からのＬＯＷ信号出力によるものか判断できない。
そこで、次に上記切り替え手段ＳＷ１，ＳＷ２をＯＮとし、再度プルアップ抵抗を接続する。
上記切り替え手段ＳＷ１，ＳＷ２をＯＮにしても上記信号ラインがロウ・レベルのままであれば、モニタ２は接続されたままであり、モニタ２側からの出力によりロウ・レベルになったと判断でき、また、上記信号ラインのレベルが５Ｖに変化した場合は、モニタが未接続になったと判断することができる。
その後、次の接続判定につなげるため、上記切り替え手段ＳＷ１，ＳＷ２をＯＦＦとし、ＳＣＬ／ＳＤＡ信号ラインをロウ・レベルにするが、パソコン本体１の立ち上がり時と区別するため、ＳＣＬ信号を一旦ロウ・レベルにしてから、本体１側のプルアップを無し（本体側プルダウンのみ）にし、ＳＤＡ信号をロウ・レベルにする。
【００１３】
一方、モニタ２が未接続の状態からモニタケーブルが本体１側のコネクタに接続された場合は、モニタのプルアップ抵抗によって、ＳＣＬ／ＳＤＡ信号ラインがハイ・レベルとになる。
これにより、前記したように本体１側に割り込み信号があがり、ＳＣＬ／ＳＤＡ信号ラインがハイ・レベルとなったことから、モニタ２が接続されたと判断できる。また、このシーケンスはＡｃｃｅｓｓｂｕｓのストップと同一ではあるが、それに関しては、問題はない。
なお、上記説明では、ＳＣＬとＳＤＡの信号ラインのそれぞれのプルアップ抵抗に直列に切り替え手段を設けた場合について説明したが、ＳＣＬ信号のみのプルアップ抵抗に直列に切り替え手段を設け、また、ＳＣＬ信号のみにプルダウン抵抗を追加しても、同様に実現することができる。
【００１４】
図２は、上記ＤＤＣ信号ラインの電位レベルの変化を示すタイムチャートであり、図２により、本実施例におけるＤＤＣアクセスとモニタ検出について説明する。
なお、ＤＤＣのアクセスバス仕様は図３に示す通りである。すなわち、ＳＤＡ／ＳＣＬが共にハイ・レベルの場合またはＳＤＡがロウ、ＳＣＬがハイ・レベルの場合は、アイドル状態またはＤＤＣ状態であり、ＳＣＬがハイ・レベルでＳＤＡがハイ・レベルからロウ・レベルに変化した場合は、ＤＤＣアクセスのスタート、ＳＣＬがハイ・レベルでＳＤＡがロウ・レベルからハイ・レベルに変化した場合は、ＤＤＣアクセスのストップ（終了）、また、ＳＣＬがロウ・レベルのときは、ＳＤＡはＤ’ｏｎｔ  Ｃａｒｅあるいはウエイトである。
また、前記したように、本体側のプルアップが未接続の状態でＳＤＡ／ＳＣＬが共にロウからハイに変化し、さらにロウに変化した場合は、モニタが未接続になった場合であり、本体側のプルアップが未接続の状態でＳＤＡ／ＳＣＬが共にロウからハイ・レベルに変化した場合は、モニタが接続された場合である。
【００１５】
アナログモニタがパソコン本体に接続されている状態でパソコン本体が立ち上がると、パソコンのＯＳがアナログモニタを立ち上げ、ＤＤＣモードとなり、ＤＤＣアクセスが行われる。そして、ＳＣＬがハイ・レベルのとき、ＳＤＡがロウからハイ・レベルになることで、ＤＤＣアクセスは終了する（図２の区間ａ）。
ＤＤＣアクセスが終了すると、ＳＣＬ／ＳＤＡ信号ラインの本体側のプルアップ抵抗Ｒ１１，Ｒ１２に直列に接続された切り替え手段ＳＷ１，ＳＷ２をオフとし、プルアップを未接続状態とし、ホットプラグモードとする（図２の区間ｂ）。なお、この状態ではモニタケーブルが接続されているので、ＳＣＬ／ＳＤＡ信号ラインはロウ・レベルにはならない。
ついで、アプリケーションによるモニタ検出を行う場合には、まず切り替え手段ＳＷ１，ＳＷ２をオンとし、プルアップを接続状態する。そして、ＳＣＬがハイ・レベルのとき、ＳＤＡをハイからロウ・レベルとし、ＤＤＣアクセスをスタートさせる。そして、ＳＣＬ／ＳＤＡ信号ラインを介してパソコン本体とモニタとの間でＥＤＩＤデータ等を送受する。ついで、ＳＣＬがハイ・レベルのとき、ＳＤＡがロウからハイ・レベルになることで、ＤＤＣアクセスは終了する（図２の区間ｃ）。
【００１６】
ＤＤＣアクセスが終了すると、ＳＣＬ／ＳＤＡ信号ラインの本体側のプルアップ抵抗Ｒ１１，Ｒ１２に直列に接続された切り替え手段ＳＷ１，ＳＷ２をオフとし、プルアップを未接続状態とし、ホットプラグモードとする（図２の区間ｄ）。
ここで、モニタケーブルが外されると、図２に示すように、ＳＣＬ／ＳＤＡ信号ラインはハイ・レベルからロウ・レベルに変化する。
これにより、パソコン本体側に割り込みがあがる。パソコン本体は、前述したようにモニタ２がはずれたことによる信号の変化か、モニタ側からのＬＯＷ信号出力によるものかを判断するため、切り替え手段ＳＷ１，ＳＷ２をＯＮとし、再度プルアップ抵抗を接続する。上記切り替え手段ＳＷ１，ＳＷ２をＯＮにすることにより、上記信号ラインがハイレベルに変化すると、本体側では、モニタが未接続になったと判断する。
ついで、再びモニタケーブルが接続されると、図２に示すように、ＳＣＬ／ＳＤＡ信号ラインはロウ・レベルからハイ・レベルに変化し、パソコン本体側に割り込みがあがる。  本体側では、ＳＣＬ／ＳＤＡ信号ラインがロウ・レベルからハイ・レベルに変化したことで、モニタが接続されたと判断する。
【００１７】
ついで、例えば外部モニタの確認のため、ＤＤＣアクセスをスタートさせる場合には、前述したように、切り替え手段ＳＷ１，ＳＷ２をオンとし、プルアップを接続状態する。そして、ＳＣＬがハイ・レベルのとき、ＳＤＡをハイからロウ・レベルとし、ＤＤＣアクセスをスタートさせる。そして、ＳＣＬ／ＳＤＡ信号ラインを介してパソコン本体とモニタとの間でＥＤＩＤデータ等を送受する。（図２の区間ｅ）。
【００１８】
図４は本実施例の処理を示すフローチャートであり、同図により本体側の処理について説明する。
図４（ａ）はメインフローであり、アナログモニタ接続状態でパソコンが起動されると、プルアップ抵抗に直列に接続された切り替え手段のゲート信号をオンとし、プルアップ抵抗を接続する（ステップＳ１〜Ｓ２）。そして、ＤＤＣアクセス開始し、モニタのＥＤＩＤデータをリードする（ステップＳ３）。
ＯＳの起動が完了すると、プルアップ抵抗に直列に接続された切り替え手段のゲートをオフとしてプルアップ抵抗を未接続とし、モニタの抜差しの割り込みの受け付けを開始する（ステップＳ４，Ｓ５）。
以下、割り込みがあるまで、通常の動作／作業を行う（ステップＳ６，Ｓ７）。
【００１９】
一方、前記したようにＳＣＬ／ＳＤＡ信号ラインの電位レベルが変化し、上記割り込み処理があると、図４（ｂ）の割り込み処理が行われる。
上記割り込みがあると、現在、本体にモニタが接続中であるかを調べる（ステップＴ１）。モニタが接続中で無ければ、ＳＣＬ／ＳＤＡ信号ラインの電位レベルが上がったかを調べる（ステップＴ２）。ＳＣＬ／ＳＤＡ信号ラインの電位レベルがあがったのでなければリターンし、また、ＳＣＬ／ＳＤＡ信号ラインの電位レベルがあがったのであれば、モニタが接続されたと判断する（ステップＴ２，Ｔ３）。
また、現在モニタが接続中の場合、ステップＴ１からＴ４に行き、ＳＣＬ／ＳＤＡ信号ラインの電位レベルが下がったかを調べる。ＳＣＬ／ＳＤＡ信号ラインの電位レベルが下がったのでなければリターンし、また、ＳＣＬ／ＳＤＡ信号ラインの電位レベルが下がったのであれば、切り替え手段のゲートをオンとし、プルアップ抵抗を接続状態とする（ステップＴ４，Ｔ５）。
そして、そのときのＳＣＬ／ＳＤＡ信号ラインの電位レベルを調べ、ハイ・レベルであれば、アナログディスプレイ未接続と判断する（ステップＴ６，Ｔ７）。そして、上記切り替え手段のゲートをオフとして、次の検出に備える（ステップＴ８）。また、例えばパソコン本体がノートパソコンの場合、アナログディスプレイに表示されていた画像をノートパソコンの液晶画面に表示する（ステップＴ９）。
一方、ステップＴ６でＳＣＬ／ＳＤＡ信号ラインの電位レベルがロウ・レベルと判断した場合には、アナログディスプレイが接続中であると判断し（ステップＴ１０）、リターンする。
【図面の簡単な説明】
【００２０】
【図１】本発明の実施例の構成を示す図である。
【図２】ＤＤＣ信号ラインの電位レベルの変化を示すタイムチャートである。
【図３】ＤＤＣのアクセスバス仕様を示す図である。
【図４】本発明の実施例における本体側の処理を示すフローチャートである。
【図５】パソコンとＤＶＩモニタとの接続を示す図である。
【図６】パソコンとアナログＲＧＢモニタとの接続を示す図（従来例）である。
【符号の説明】
【００２１】
１    パソコン本体
２    アナログＲＧＢモニタ
Ｒ１１，Ｒ１２  プルアップ抵抗（本体側）
Ｒ２１，Ｒ２２  プルアップ抵抗（モニタ側）
Ｒ１３，Ｒ１４  プルダウン抵抗
ＳＷ１，ＳＷ２  切り替え手段（スイッチング手段）
【図１】
2007225980.tif 000003
【図２】
2007225980.tif 000004
【図３】
2007225980.tif 000005
【図４】
2007225980.tif 000006
【図５】
2007225980.tif 000007
【図６】
2007225980.tif 000008